(57)【要約】    【課題】  ローターバケットの回転軸の軸線方向に対する傾きに起因してドレイン水を極端に偏って放流されることのない室外機の冷却装置を提供する。    【解決手段】冷房ドレイン水を用いた室外機の冷却装置において、ローターバケット１３Ａが断面Ｖ字形状の側壁面を長手方向に連続させその両端が壁面１３Ｂによって封鎖された形状をなし、基部１４Ａと突片１４Ｂとを一体となしたＬ字状部材１４の基部がローターバケットの両端壁面に固定され、ケーシング１０Ａの両側内端面にはＶ字状の受け具１０Ａ−３が固定され、受け具にはＬ字状部材の突片が搭載され、突片下端辺がローターバケットの回転軸を構成しており、又ローターバケット内が仕切り板１５によって回転軸の軸線方向に複数の貯留室１７Ａ、１７Ｂ、１７Ｃに仕切られ、ローターバケットがドレイン水の重さによって傾動したときに複数の各貯留室からドレイン水が回転軸の軸線方向に分散して放流される。【選択図】図７
2015155814.tif 000002
【特許請求の範囲】
【請求項１】
ケーシングにはローターバケットが回転軸回りに傾動自在に内装され、室外機ハウジング頂面に支持ステー又は取付けブラケットによってケーシングの放流口が室外機の熱交換器の空気取入れ面より前方に位置するように取付けられ、室内機からのドレイン水をローターバケットで受けて貯留し、所定量以上のドレイン水を貯留したときにローターバケットがドレイン水の重さによって回転軸を中心に傾動し、ドレイン水を上記ケーシングの放流口からガイドを経て室外機の熱交換器の空気取入れ面に向けて放流して熱交換器を冷却する一方、放流後のローターバケットが元の姿勢に自己復帰してドレイン水を受けるようになした冷房ドレイン水を用いた室外機の冷却装置において、
上記ローターバケットが断面Ｖ字形状の側壁面を長手方向に連続させその両端が壁面によって封鎖された形状をなし、基部と突片とを一体となしたＬ字状部材の基部が上記ローターバケットの両端壁面に固定され、上記ケーシングの両側内端面にはＶ字状の受け具が固定され、該受け具には上記Ｌ字状部材の突片が搭載され、該突片下端辺が上記ローターバケットの回転軸を構成しており、
上記ローターバケット内が仕切り板によって回転軸の軸線方向に複数の貯留室に仕切られ、上記ローターバケットがドレイン水の重さによって傾動したときに上記複数の各貯留室からドレイン水が回転軸の軸線方向に分散して放流されることを特徴とする冷房ドレイン水を用いた室外機の冷却装置。
【請求項２】
上記仕切り板は上記ローターバケットが傾動を開始するドレイン水の水位よりも低い高さである請求項１記載の冷房ドレイン水を用いた室外機の冷却装置。
【請求項３】
上記ローターバケットの側壁面の上端縁が凹凸を繰り返した形状に形成され、上記複数の各貯留室からのドレイン水が上記側壁面の上端縁の凹凸によって回転軸の軸線方向に分散されるようになした請求項１記載の冷房ドレイン水を用いた室外機の冷却装置。
【請求項４】
上記ローターバケットの側壁面の上端縁が鋸歯状に形成されている請求項３記載の冷房ドレイン水を用いた室外機の冷却装置。
【請求項５】
ケーシングにはローターバケットが回転軸回りに傾動自在に内装され、室外機ハウジング頂面に支持ステー又は取付けブラケットによってケーシングの放流口が室外機の熱交換器の空気取入れ面より前方に位置するように取付けられ、室内機からのドレイン水をローターバケットで受けて貯留し、所定量以上のドレイン水を貯留したときにローターバケットがドレイン水の重さによって回転軸を中心に傾動し、ドレイン水を上記ケーシングの放流口からガイドを経て室外機の熱交換器の空気取入れ面に向けて放流して熱交換器を冷却する一方、放流後のローターバケットが元の姿勢に自己復帰してドレイン水を受けるようになした冷房ドレイン水を用いた室外機の冷却装置において、
上記ローターバケットが断面Ｖ字形状の側壁面を長手方向に連続させその両端が壁面によって封鎖された形状をなし、基部と突片とを一体となしたＬ字状部材の基部が上記ローターバケットの両端壁面に固定され、上記ケーシングの両側内端面にはＶ字状の受け具が固定され、該受け具には上記Ｌ字状部材の突片が搭載され、該突片下端辺が上記ローターバケットの回転軸を構成しており、
上記ローターバケットの両側壁面には板状又は棒状の重錘がその一端部を中心に揺動可能に取付けられ、上記重錘が取付け点を中心に揺動されることによって、上記ローターバケットの回転軸回りのバランスが調整されていることを特徴とする冷房ドレイン水を用いた室外機の冷却装置。
【請求項６】
上記重錘が上記ローターバケットの回転軸回りの傾きに対して反対側の方向に揺動されることによって、上記ローターバケットの回転軸回りのバランスが調整されている請求項５記載の冷房ドレイン水を用いた室外機の冷却装置。
【請求項７】
ケーシングにはローターバケットが回転軸回りに傾動自在に内装され、室外機ハウジング頂面に支持ステー又は取付けブラケットによってケーシングの放流口が室外機の熱交換器の空気取入れ面より前方に位置するように取付けられ、室内機からのドレイン水をローターバケットで受けて貯留し、所定量以上のドレイン水を貯留したときにローターバケットがドレイン水の重さによって回転軸を中心に傾動し、ドレイン水を上記ケーシングの放流口からガイドを経て室外機の熱交換器の空気取入れ面に向けて放流して熱交換器を冷却する一方、放流後のローターバケットが元の姿勢に自己復帰してドレイン水を受けるようになした冷房ドレイン水を用いた室外機の冷却装置において、
上記ローターバケットが断面Ｖ字形状の側壁面を長手方向に連続させその両端が壁面によって封鎖された形状をなし、基部と突片とを一体となした金属板製のＬ字状部材の基部が上記ローターバケットの両端壁面に固定され、上記ケーシングの両側内端面にはＶ字状の受け具が固定され、該受け具には上記Ｌ字状部材の突片が搭載され、該突片下端辺が上記ローターバケットの回転軸を構成しており、
上記ローターバケットの両側壁面のＬ字状部材の突片の基部に対する曲げ角度が変えられることによって、上記ローターバケットの回転軸回りのバランスが調整されていることを特徴とする冷房ドレイン水を用いた室外機の冷却装置。
【請求項８】
上記Ｌ字状部材の突片の基部に対する角度が上記ローターバケットの回転軸回りの傾きに対して反対側の方向に曲げられることによって、上記ローターバケットの回転軸回りのバランスが調整されている請求項７記載の冷房ドレイン水を用いた室外機の冷却装置。
【発明の詳細な説明】
【技術分野】
【０００１】
本発明は冷房ドレイン水を用いた室外機の冷却装置に関し、特にローターバケットの回転軸の傾きによる影響を少なくし、又ローターバケットの回転軸回りのバランスの崩れを修正して熱交換器の冷却効率を保証できるようにした装置に関する。
【背景技術】
【０００２】
冷房装置では、圧縮機で圧縮した冷媒と、室外機に取り入れた大気とを室外機の熱交換器で熱交換させることによって冷媒を凝縮し、この凝縮した冷媒を室内機に循環させて気化させることによって、室内から取り入れた空気の熱を奪い、室内機から冷気を室内に放出させ、室内を快適な温度に保持するという方式が採用されている。【０００３】
しかし、夏期の猛暑下においては、室外機を最大限稼働させているにもかかわらず、十分な冷房能力が得られず、電力が無駄に消費されるばかりでなく、冷房装置をフル稼働させているので、装置の耐久性が低下する。これは夏期の昼間においては外気温が３０°Ｃを越え、特にオフィスビルの屋上等では輻射熱等によって室外機周囲の外気温が４０°Ｃを越えることによって室外機の熱交換器における熱交換効率が低下し、しかも熱交換器の汚れ等が熱交換器の効率の低下を助長していることが原因である。【０００４】
これに対し、噴霧ノズルによって熱交換器のフィンに向けて冷却水を噴霧し、冷却水の蒸発熱を利用して熱交換効率を向上させ、もって所望の冷却能力を確保しつつ電力消費量を低減させるようにした室外機の冷却装置が提案されている（特許文献１、特許文献２、参照）。【０００５】
しかし、従来の室外機の冷却装置では冷却水に水道水や工業用水を利用しているので、大量の冷却水を必要とし、水道料金等が高くなるなど、設備コスト・稼働コスト共に高い。しかも、熱交換器のフィンが直接噴霧した水道水等で常に濡れた状態となるので、水道水等に含まれる塩素、鉄分、カルシウム成分、二酸化シリカ等が凝縮器のフィンに付着し、熱交換器のフィンや導管を短期間のうちに腐食させていた。【０００６】
他方、本件発明者らは、冷房運転で発生してアルミニウムや鋼パイプなどで構成される熱交換器の金属を侵す滅菌塩素やシリカ、カルシウムなどの成分を含まず、かつ水道水や工業用水、地下水よりも遥かに低温のドレイン水（結露水）をローターバケットに貯留し、一定量貯まったときにローターバケットのバランスが崩れて傾動し、ドレイン水が室外機の熱交換器の空気取入れ面に向けて均等に放流されることによって熱交換器を冷却し、設備コスト高及び稼働コスト高を招来することなく、冷房能力を確保しつつ電力消費量を低減できるとともに、所期の耐久性を保証できるようにした室外機の冷却装置を提案するに至った（特許文献３、特許文献４）。
【先行技術文献】
【特許文献】
【０００７】
【特許文献１】特開２０００−２８２３０号公報
【特許文献２】特開２００１−３１７８２１号公報
【特許文献３】特開２００４−３０１４９２号公報
【特許文献４】実用新案登録第３１７６４８３号公報
【発明の開示】
【発明が解決しようとする課題】
【０００８】
ところで、冷却装置を室外機に設置する場合、室外機のハウジング頂面に支持ステーや取付けブラケットを前方に延びて取付け、この支持ステーに冷却装置に搭載し取付けブラケットに冷却装置を固定することによって冷却装置を室外機に設置することが行われている。【０００９】
しかし、上記特許文献３、４記載の室外機の冷却装置では冷却装置を支持ステーに搭載し取付けブラケットに固定している構造上、冷却装置を水平に設置することが難しいことがある。例えば、冷却装置が室外機の横幅方向（ローターバケットの長手方向）に３度程度傾くと、冷却装置内ではローターバケットの長手方向の一方に極端に偏ってドレイン水が貯留され放流される現象が起こり、室外機の熱交換器の一部のみがドレイン水によって冷却される結果、熱交換効率が期待したほどアップできないことがあった。【００１０】
また、上記特許文献３、４の室外機の冷却装置では矩形状の基部に直角三角形状の突片を一体に形成したＬ字状金具を製作し、その基部をローターバケットの両側面に点溶接などで固定し、Ｌ字状金具の突片をケーシング側のＶ字状の受具に搭載し、Ｌ字状金具の突片下端辺によってローターバケットの回転軸を構成しているが、Ｌ字状金具の突片下端辺がバケットの重心を通る線上に位置するとは限らず、バケットが正しい姿勢になっておらず、回転軸回りに前方又は後方に傾き、少量のドレイン水の貯留でバランスが崩れて放流動作を開始してしまうことがあった。【００１１】
本発明はかかる問題点に鑑み、冷却装置を室外機に設置したときにローターバケットの回転軸の軸線方向に対する傾きがあってもドレイン水を極端に偏って放流されることがなく、又ローターバケットの回転軸回りの傾きがあってもローターバケットを正しい姿勢に調整することもできるようにした冷房ドレイン水を用いた室外機の冷却装置を提供することを課題とする。
【課題を解決するための手段】
【００１２】
そこで、本発明に係る冷房ドレイン水を用いた室外機の冷却装置は、ケーシングにはローターバケットが回転軸回りに傾動自在に内装され、室外機ハウジング頂面に支持ステー又は取付けブラケットによってケーシングの放流口が室外機の熱交換器の空気取入れ面より前方に位置するように取付けられ、室内機からのドレイン水をローターバケットで受けて貯留し、所定量以上のドレイン水を貯留したときにローターバケットがドレイン水の重さによって回転軸を中心に傾動し、ドレイン水を上記ケーシングの放流口からガイドを経て室外機の熱交換器の空気取入れ面に向けて放流して熱交換器を冷却する一方、放流後のローターバケットが元の姿勢に自己復帰してドレイン水を受けるようになした冷房ドレイン水を用いた室外機の冷却装置において、上記ローターバケットが断面Ｖ字形状の側壁面を長手方向に連続させその両端が壁面によって封鎖された形状をなし、基部と突片とを一体となしたＬ字状部材の基部が上記ローターバケットの両端壁面に固定され、上記ケーシングの両側内端面にはＶ字状の受け具が固定され、該受け具には上記Ｌ字状部材の突片が搭載され、該突片下端辺が上記ローターバケットの回転軸を構成しており、上記ローターバケット内が仕切り板によって回転軸の軸線方向に複数の貯留室に仕切られ、上記ローターバケットがドレイン水の重さによって傾動したときに上記複数の各貯留室からドレイン水が回転軸の軸線方向に分散して放流されることを特徴とする。【００１３】
本発明の特徴の１つは仕切り板によってローターバケット内を回転軸の軸線方向に複数の貯留室に仕切るようにした点にある。【００１４】
これにより、室内機のドレイン水はローターバケット内の複数の各貯留室に分散して貯留されるので、冷却装置がローターバケットの回転軸の軸線方向に対して傾いて設置された場合であっても、複数の各貯留室からドレイン水が放流され、ドレイン水の放流がローターバケットの一方に極端に偏ることはなく、室外機の熱交換効率を保証できる。【００１５】
ローターバケット内の複数の各貯留室に分散して貯留する上で、仕切り板の高さが大切である。仕切り板が高すぎると、ドレイン水の大部分がケーシングのドレイン水流入口の直下の貯留室に貯留され、ローターバケットが傾動するまでの間に他の貯留室にはドレイン水が分散して貯留され難くなるからである。そこで、仕切り板はローターバケットが傾動を開始するドレイン水の水位よりも低い高さとするのがよい。【００１６】
また、ローターバケットの側壁面の上端縁は真っ直ぐでもよいが、上端縁を、凹凸を繰り返した形状、例えば鋸歯状に形成すると、複数の各貯留室からのドレイン水を側壁面の上端縁の凹凸によって回転軸の軸線方向に分散することができる。【００１７】
上記ではローターバケットの回転軸の軸線方向に対する傾きがある場合の対策であったが、ローターバケットの回転軸回りの傾きがある場合における対策も必要である。【００１８】
本発明に係る冷房ドレイン水を用いた室外機の冷却装置は、ケーシングにはローターバケットが回転軸回りに傾動自在に内装され、室外機ハウジング頂面に支持ステー又は取付けブラケットによってケーシングの放流口が室外機の熱交換器の空気取入れ面より前方に位置するように取付けられ、室内機からのドレイン水をローターバケットで受けて貯留し、所定量以上のドレイン水を貯留したときにローターバケットがドレイン水の重さによって回転軸を中心に傾動し、ドレイン水を上記ケーシングの放流口からガイドを経て室外機の熱交換器の空気取入れ面に向けて放流して熱交換器を冷却する一方、放流後のローターバケットが元の姿勢に自己復帰してドレイン水を受けるようになした冷房ドレイン水を用いた室外機の冷却装置において、上記ローターバケットが断面Ｖ字形状の側壁面を長手方向に連続させその両端が壁面によって封鎖された形状をなし、基部と突片とを一体となしたＬ字状部材の基部が上記ローターバケットの両端壁面に固定され、上記ケーシングの両側内端面にはＶ字状の受け具が固定され、該受け具には上記Ｌ字状部材の突片が搭載され、該突片下端辺が上記ローターバケットの回転軸を構成しており、上記ローターバケットの両側壁面には板状又は棒状の重錘がその一端部を中心に揺動可能に取付けられ、上記重錘が取付け点を中心に揺動されることによって、上記ローターバケットの回転軸回りのバランスが調整されていることを特徴とする。【００１９】
本発明の特徴の１つはローターバケットの両側壁面に板状又は棒状の重錘を揺動可能に取付け、重錘を揺動させることによってローターバケットの回転軸回りのバランスを調整できるようにした点にある。【００２０】
これにより、ローターバケットが回転軸回りに前方や後方に傾いている場合に、重錘をローターバケットの回転軸回りの傾きに対して反対側の方向に揺動させると、ローターバケットの回転軸回りのバランスが調整され、ローターバケットを正しい姿勢に戻すことができる。【００２１】
また、重錘の揺動角度を調整することによってローターバケットの重心位置を変化させることができるので、この重錘をローターバケットの貯水量の増減に利用することもできる。【００２２】
また、本発明に係る冷房ドレイン水を用いた室外機の冷却装置は、ケーシングにはローターバケットが回転軸回りに傾動自在に内装され、室外機ハウジング頂面に支持ステー又は取付けブラケットによってケーシングの放流口が室外機の熱交換器の空気取入れ面より前方に位置するように取付けられ、室内機からのドレイン水をローターバケットで受けて貯留し、所定量以上のドレイン水を貯留したときにローターバケットがドレイン水の重さによって回転軸を中心に傾動し、ドレイン水を上記ケーシングの放流口からガイドを経て室外機の熱交換器の空気取入れ面に向けて放流して熱交換器を冷却する一方、放流後のローターバケットが元の姿勢に自己復帰してドレイン水を受けるようになした冷房ドレイン水を用いた室外機の冷却装置において、上記ローターバケットが断面Ｖ字形状の側壁面を長手方向に連続させその両端が壁面によって封鎖された形状をなし、基部と突片とを一体となした金属板製のＬ字状部材の基部が上記ローターバケットの両端壁面に固定され、上記ケーシングの両側内端面にはＶ字状の受け具が固定され、該受け具には上記Ｌ字状部材の突片が搭載され、該突片下端辺が上記ローターバケットの回転軸を構成しており、上記ローターバケットの両側壁面のＬ字状部材の突片の基部に対する曲げ角度が変えられることによって、上記ローターバケットの回転軸回りのバランスが調整されるようになしたことを特徴とする。【００２３】
本発明の特徴の１つはＬ字状部材の突片の基部に対する角度を、ローターバケットの回転軸回りの傾きに対して反対側の方向に復帰するようにした点にある。【００２４】
これにより、ローターバケットが回転軸回りに前方や後方に傾いている場合に、突片をローターバケットの回転軸回りの傾きに対して反対側の方向に曲げることによって、ローターバケットの回転軸回りのバランスが調整され、ローターバケットを正しい姿勢に戻すことができる。
【図面の簡単な説明】
【００２５】
【図１】本発明に係る冷房ドレイン水を用いた室外機の冷却装置が適用される室外機の例を示す図である。
【図２】本発明に係る冷房ドレイン水を用いた室外機の冷却装置の好ましい実施形態を示す実施形態を示す分解斜視図である。
【図３】上記実施形態における冷却装置の取付け状態を示す図である。
【図４】上記実施形態におけるローターバケットを示す概略斜視図である。
【図５】上記実施形態におけるローターバケットを示す拡大斜視図である。
【図６】上記実施形態におけるローターバケットの上端縁の形状を示す図である。
【図７】上記実施形態におけるローターバケットの作用を説明するための図である。
【図８】第２の実施形態を示す図である。
【図９】第２の実施形態の作用を説明するための図である。
【図１０】本発明に係る冷房ドレイン水を用いた室外機の冷却装置が適用される他の室外機の例を示す概略斜視図である。
【発明を実施するための形態】
【００２６】
以下、本発明を図面に示す具体例に基づいて詳細に説明する。図１ないし図７は本発明に係る冷房ドレイン水を用いた室外機の冷却装置の好ましい実施形態を示す。図において、室外機２０は屋外に設置され、室内機３０は室内に設置され、室外機２０と室内機３０との間には循環パイプ（図示せず）が設けられて冷媒が循環されるようになっている。
【００２７】
室外機２０ではハウジング２２内に熱交換器２１及びファン（図示せず）が設けられ、室外機ハウジング２０内にはファンによって大気が取り込まれ、熱交換器２１のフィン（空気取入れ面）で取り入れた空気と圧縮した冷媒とが熱交換されるようになっている。
【００２８】
また、室外機２０にはハウジング２２の天板に冷却装置１０が左右の支持ステー４０によって冷却装置１０のケーシング１０Ａの放流口１１が室外機２０の熱交換器２１のフィンより前方に位置するように取付けられている。
【００２９】
この冷却装置１０のケーシング１０Ａはほぼ密閉された直方体形状をなし、ケーシング１０Ａの底壁面には長溝状の放流口１１が長手方向のほぼ全長にわたって形成され、放流口１１の一側縁には金属薄板製（又はポリカーボネイト薄板製）のガイド板１２が斜下方に延びるように取付けられ、放流口１１から放流されるドレイン水が室外機２０の熱交換器２１のフィンに向けて案内されるようになっている。
【００３０】
また、冷却装置１０のケーシング１０Ａ内にはローターバケット１３が回転軸回りに傾動自在に内装されている。ローターバケット１３は９０°前後の角度をなす断面Ｖ字状をなす前後一対の側壁板１３Ａを長手方向に連続させその両端に左右一対のロータ１３Ｂを固定して構成され、ロータ１３Ｂの外面にはＬ字状金具１４が固定され、Ｌ字状金具１４は矩形状の基部１４Ａに直角三角形状の突片１４Ｂを直角に折り曲げた形状に形成されている。
【００３１】
他方、冷却装置１０のケーシング１０Ａは矩形函体１０Ａ−１と蓋１０Ａ−２とから構成され、蓋１０Ａ−２の長手方向の一側部にはドレイン水の流入パイプ１０Ａ−３が取付けられ、室内機３０からのドレイン水を送給するホース３１が接続されるようになっている。
【００３２】
また、矩形函体１０Ａ−１の両端壁内面には１２０°前後の角度をなすＶ字状の受け具１０Ａ−３が固定され、受け具１０Ａ−３にはローターバケット１３のＬ字状金具１４の突片１４Ｂが搭載され、ローターバケット１３は所定量のドレイン水を貯留したときにＬ字状金具１４の突片１４Ｂの下端辺を回転軸として傾動されるようになっている。
【００３３】
また、ローターバケット１３内は仕切り板１５によって長手方向に３つの貯留室１７Ａ、１７Ｂ、１７Ｃに仕切られ、仕切り板１５はローターバケット１３が傾動を開始するドレイン水の水位よりも低い高さに設定され、又ローターバケット１３の側壁板１３Ａには板状の重錘１６がその一端部を中心に揺動可能に取付けられ、さらにローターバケット１３の側壁板１３Ａの上端縁は高さ３ｍｍ、角度９０°をなす鋸歯状に形成されている。
【００３４】
冷房装置を作動させると、室外機２０のフィンにはブロアのファンによって大気が取り入れられる一方、圧縮機（図示せず）では冷媒が圧縮され、この圧縮した冷媒と、室外機２０に取り入れた大気とが室外機２０の熱交換器２１フィンで熱交換され、これによって冷媒が凝縮される。この凝縮された冷媒は室内機３０に循環され、気化することによって、室内から取り入れた空気の熱が奪われ、室内機３０からは冷気が室内に放出され、室内が快適な温度に保持される。
【００３５】
その際、室内機３０で冷媒と室内の空気が熱交換されると、ドレイン水（凝結水）が発生し、ドレイン水は室内機３０からホース３１によって冷却装置１０に案内されてケーシング１０Ａ内に流入し、ローターバケット１３に貯留される。ローターバケット１３内に所定量のドレイン水が貯留され、ドレイン水の水位が回転軸のレベルを越えるようになると重量バランスが崩れ、ローターバケット１３はＬ字状金具１４の突辺１３Ｂの下端辺を中心に傾動し、ローターバケット１３内のドレイン水は流出し、ケーシング１０Ａの放流口１１及びガイド板１２によって室外機２０の熱交換器２１フィンに向けて放流され、フィンがドレイン水で濡れ、フィンの熱によって蒸発され、冷媒の凝縮能力を補助して冷房能力の低下を防ぎ、運転エネルギーの省力化が実現される。
【００３６】
ドレイン水を放流したロータバケット１３はバケットの自重によって元の姿勢に自動復帰し、室内機３０のドレイン水を受けて貯留することとなる。
【００３７】
ところで、図７に示されるように、冷却装置１０が水平方向Ｌに対して傾いて、例えば３°傾いて取付けられている場合、図７の（ａ）に示されるように、ローターバケット１３内にはドレイン水Ｗが偏って貯留され、ローターバケット１３が傾動すると、ドレイン水Ｗは極端に偏って放流され、熱交換器２１のフィン全面を濡らすことができず、冷媒の凝縮能力を補助できないおそれがある。
【００３８】
これに対し、本例の冷却装置では図７の（ｂ）に示されるように、ローターバケット１３内と３つの貯留室１７Ａ、１７Ｂ、１７Ｃに仕切られ、しかも仕切り板１５はローターバケット１３が傾動を開始するドレイン水の水位よりも低い高さに設定されており、冷却装置１０のケーシング１０Ａ内に流入したドレイン水はローターバケット１３の３つの貯留室１７Ａ、１７Ｂ、１７Ｃに分散して貯留され、ローターバケット１３が傾動すると、ドレイン水Ｗは３つの各貯留室１７Ａ、１７Ｂ、１７Ｃから流れ出し、しかもローターバケット１３の側壁板１３Ａの上端縁が鋸歯状に形成されているので、ローターバケット１３から長手方向に分散して放流され、熱交換器２１のフィン全面を確実に濡らすことができ、冷媒の凝縮能力を補助することができる。
【００３９】
また、ローターバケット１３の重心がＬ字状金具１４の突辺１４Ｂの下端縁の延長線上に位置せず、例えば図５の図示上方にずれている場合、ローターバケット１３はドレイン水を十分に貯留する前に傾動してしまうおそれがある。本例の冷却装置では重錘１６を取付けているので、上述のようにローターバケット１３の重心が図５の上方にずれている場合には重錘１６を反対方向（図５の矢印参照）に揺動させると、重心をＬ字状金具１４の突辺１４Ｂの下端縁の延長線上に位置させることができるので、ローターバケット１３は十分な量のドレイン水を貯留してから傾動することとなる。
【００４０】
また、重錘１６の揺動角度を微調整することによってローターバケット１３の重心位置を変化させることができるので、ローターバケット１３の貯水量を増減させることもできる。
【００４１】
図８及び図９は本発明に係る冷房ドレイン水を用いた室外機の冷却装置の第２の実施形態を示す。本例ではローターバケット１３の重心が図９の図示右方にずれている場合（矢印参照）、Ｌ字状金具１４の突辺１４Ｂを基部１４Ａに対して図９の左方に曲げることによって重心をＬ字状金具１４の突辺１４Ｂの下端縁の延長線上に位置させることができる。なお、本例では仕切り板や重錘を設けてもよく、設けなくてもよく、又ローターバケット１３の側壁板の上端縁を鋸歯状に形成してもよく、形成しなくてもよい。
【００４２】
本発明は図１０に示されるように、逆Ｌ字状（コ字状であってもよい）の取付けブラケット４１によって冷却装置１０を室外機２０に取付けるようにした場合にも適用することができる。
【符号の説明】
【００４３】
１０      冷却装置
１０Ａ    ケーシング
１０Ａ−３      受け具
１１      放流口
１３      ローターバケット
１３Ａ      側壁板
１３Ｂ      ロータ
【図１】
2015155814.tif 000003
【図２】
2015155814.tif 000004
【図３】
2015155814.tif 000005
【図４】
2015155814.tif 000006
【図５】
2015155814.tif 000007
【図６】
2015155814.tif 000008
【図７】
2015155814.tif 000009
【図８】
2015155814.tif 000010
【図９】
2015155814.tif 000011
【図１０】
2015155814.tif 000012
【国際調査報告】
2015155814.tif 000013
2015155814.tif 000014